(57)【要約】  【課題】  昼夜とわず、蚊の高収率の捕獲と、移動を容易にした構造の蚊取りスタンドを提供する。  【解決手段】  蚊取りスタンド内の容器４に、蚊の好む臭いを発する物質を注入し、誘虫ランプ１とを併用して誘引する。蚊取りスタンド内の粘着紙８の接触による捕獲と、誘虫ランプ１の周囲を漂っている蚊を、吸引掃除機等で、吸い込み口９から吸引捕獲する。誘虫ランプ以外の蚊取りスタンド全体を蚊の好む黒色に塗装する事により、臭い、誘虫ランプ１、粘着紙８、吸引と黒色性向により、複合的に蚊の捕獲効率が一層増大する。臭いを発して誘引することで、昼間でも蚊の捕獲が可能となる。スタンド式で軽量、且つ、コンパクトな構造で製作できるので、屋内外へ手軽に移動可能な構成となる。【選択図】図１
0003122556.tif 000002
【実用新案登録請求の範囲】
【請求項１】
蚊の好む臭いを発する液体、及び、固体を入れる容器と、蚊を吸収するための吸い込み口がついている吸引カバーとを支柱で接続して成る筐体中に、誘虫ランプを取り付けると共に、前記支柱の周りに粘着紙を取り付けた事を特徴とする蚊取りスタンド。
【請求項２】
蚊取りスタンド中の誘虫ランプ以外の部材を、黒色に塗装することを特徴とする請求項１に記載の蚊取スタンド。
【考案の詳細な説明】
【技術分野】
【０００１】
本考案は、臭いと誘虫ランプで蚊を誘引し、粘着紙と吸引によって、蚊を捕獲する蚊取りスタンドに関する。
【背景技術】
【０００２】
蚊を誘虫ランプで誘引して、透光性カバーの中へ、虫導入孔から蚊を捕獲する捕虫器構造の物はある。（特許文献１参照）
【特許文献１】特開２００１−１６９７０９号公報
【考案の開示】
【考案が解決しようとする課題】
【０００３】
特許文献１に示す捕虫器具は、誘虫ランプで誘引して、虫導入孔から蚊を捕獲するが、虫導入口から出入りする蚊も有り、捕獲の収率に問題がある。
【０００４】
また、吊り下げタイプのため移動に困難を要する。特に屋外に設置する際には、場所ごとに吊り下げ用ポール、又は、取付台の施工を必要とし、容易に移動する事が出来ない点に問題があった。
【０００５】
上記の問題点に鑑み、本考案は、高収率の蚊の捕獲と、かつ移動に容易な蚊取りスタンドを提供することを課題とする。
【課題を解決するための手段】
【０００６】
請求項１記載の考案にあたっては、蚊の好む臭いを発する液体、又は、固体を入れる容器と、蚊を吸引するための吸い込み口がついている吸引カバーとを、支柱で接続してなる筐体中に、誘虫ランプを取り付けると共に、支柱の周りに貼り付けた粘着紙を設け、蚊の捕獲に対応した。
【０００７】
これによれば、蚊の好む臭いを発する物質を容器の中に貯蔵し、蚊を誘引する。尚、容器に入れるものは液体、又は、固体のいずれかであってもよく、また、液体、及び固体の両方を入れるようにしてもよい、
【０００８】
その上、誘虫ランプを容器と吸引カバーとの間に取り付けているので、蚊取りスタンド内まで蚊を誘引する。
【０００９】
さらに支柱の周りに巡らせ、蚊を接触させ、捕獲する粘着紙を設けている。
【００１０】
尚且つ、蚊取りスタンド内で、粘着紙に接触しないで浮遊している蚊を、例えば吸引掃除機なので吸い込み口から吸引する事も出来る。
【００１１】
従って、本考案では臭いと、誘虫ランプと、粘着紙と、吸引とが複合的に蚊の捕獲に寄与し、且つ、軽量に製作でき、屋内外問わず簡易に移動可能であり、蚊の効率的な捕獲を可能にする。
【００１２】
尚、蚊取スタンド構成品中、誘虫ランプ以外を黒色に塗装すると、蚊は黒色を好む性質を持つために、蚊取りスタンド内に集まり、捕獲の効果が増大する。
【考案の効果】
【００１３】
本考案では、蚊の好む臭いを発生させる事により、昼間でも、蚊取りスタンド内まで誘引可能となる、尚、蚊取りスタンド内で粘着紙に付着しない蚊でも、吸引掃除機などで吸い込み口から、効率よく捕獲効果を奏する。
【００１４】
また、蚊取りスタンドの誘虫ランプ以外を、黒色に塗装するため、黒色に集まる習性を持つ蚊に対して、一層の捕獲効果を奏する。
【００１５】
本考案は、スタンド式の蚊取り捕獲器で、吊り下げ用ポール、天井面に直付けする工事は不要となり、誘虫ランプの交換にも簡易で効果を奏する。
【００１６】
本考案は、アルミ金属主体の軽合金で構成できるので、軽量で錆の腐食に強く、屋内外での移動にも対応でき、蚊の捕獲に効果を奏する。
【考案を実施するための最良の形態】
【００１７】
図１は、本考案の蚊取りスタンドの概略的な、外観側面図の構成を示している、図２は、本考案の蚊取りスタンドの概略的な上面図を示している。
【００１８】
図１を参照して、本考案の蚊取りスタンドの構造について説明する。誘虫ランプ１は、蚊の好む光の波長を発する蛍光管で、その蛍光管は、受金Ｅ２６（ＪＩＳ規格）のネジ込み式で、ソケット２にて結合される。ソケット取付台３に、固定されたソケット２は、給電を受け誘虫ランプ１を点灯する。
【００１９】
ソケット取付台３は、ボウル４の中に、図外の防水パッキンを敷いて取付、ボウル４に貯蔵した液体の漏水を防ぐ。ソケット取付台３の最上面３−１は、ボウル４内の液体表面に接触しない高さであり、且つ、ボウル４の開口縁４−１以上の高さに位置する。
【００２０】
ベース５は、ボウル４の底面に取り付ける事により、重心が安定するので、蚊取りスタンド全体が転倒する事を防止する。
【００２１】
蚊の誘引方法としてボウル４の中に、蚊の好む臭いを発する物質、例えばドライアイス、炭酸飲料水、アルコール等を注入し、誘虫ランプと併用して、昼夜問わず誘引可能となる。また、蚊取りスタンド全体を蚊の好む黒色に塗装することにより、蚊取りスタンド内に蚊がより一層寄って来る機能が備わる。
【００２２】
蚊の捕獲方法として、ボウル４と、吸引カバー６とを、６本の支柱７で接続し、６本の支柱７の外周に亘って、粘着紙８を巡らせて取り付ける。誘虫ランプ１と、ボウル４の中に注入した蚊の好む臭いを発する物質とで、蚊取りスタンド内の方向まで蚊を誘引し、粘着紙８の接触により蚊を捕獲する。さらに粘着紙８による捕獲を免れ誘虫ランプ１の周囲を浮遊している蚊は、吸引カバー６の吸い込み口９から吸引掃除機等によって捕獲する。
【００２３】
さらに吸い込み口９と吸引カバー６とについて説明する。吸い込み口９を下方に拡幅する形状に加工製作する。これは吸引掃除機等で吸引する際、あらゆる大きさの差込口が結合可能となるようにするためである。また、吸引カバー６の上面、外壁、内壁ともに曲面状に製作する事によって蚊取りスタンド内の蚊の吸引捕獲をスムーズにする。
【００２４】
この蚊取りスタンドは、屋内外問わず使用できる。この結果コンパクトで手軽に移動可能であ。、従って野外の活動時にこれを備えると、蚊は蚊取りスタンド方向に誘引され、人間に近づく抑制となる。
【図面の簡単な説明】
【００２５】
【図１】本考案の蚊取りスタンドの概略的な外観側面図である。
【図２】本考案の蚊取りスタンドの概略的な上面図である。
【符号の説明】
【００２６】
１      誘虫ランプ
２      ソケット
３      ソケット取付台
３−１  ソケット取付台の最上面
４      ボウル（容器）
４−１  ボウル（容器）の開口縁
５      ベース
６      吸引カバー
７      支柱
８      粘着紙
９      吸い込み口
【図１】
0003122556.tif 000003
【図２】
0003122556.tif 000004